(57)【要約】【課題】ニーズの異なる庭プランを前提に、当該ニーズを満足させる庭を、容易に、かつ、確実に造ることができる。【解決手段】ニーズの異なる複数種の庭プランを有し、この庭プランが、当該各庭プランのニーズに対応する一定の植物群を構成選択肢としてあり、前記の庭プランのうちの一つの庭プランを選択する庭プランの決定工程と、この決定工程で選択された庭プランにおける植物群から選ばれる一種以上の高めの木と、一種以上の低めの木と、一種以上の中位の高さの木と、一種以上のグランドカバープランツとを選択するプランニング工程と、この選択された植物を植栽する植栽工程とを有することを特徴とする庭造り工法。【選択図】なし【特許請求の範囲】
【請求項１】
ニーズの異なる複数種の庭プランを有し、
この庭プランが、当該各庭プランのニーズに対応する一定の植物群を構成選択肢としてあり、
前記の庭プランのうちの一つの庭プランを選択する庭プランの決定工程と、
この決定工程で選択された庭プランにおける植物群から選ばれる一種以上の高めの木と、一種以上の低めの木と、一種以上の中位の高さの木と、一種以上のグランドカバープランツとを選択するプランニング工程と、
この選択された植物を植栽する植栽工程とを有することを特徴とする庭造り工法。
【請求項２】
前記庭プランが、当該各庭プランに対応する複数種のシンボルツールを構成選択肢としてあり、
前記決定工程で選択された庭プランにおけるシンボルツールから選ばれる一種以上のシンボルツールを選択するプランニング工程と、
この選択されたシンボルツールを設備する施工工程とを有することを特徴とする請求項１に記載の庭造り工法。
【請求項３】
高めの木として、モミジ、アオダモ、ソヨゴを、
低めの木として、ツツジ類、カンツバキ、センリョウを、
中位の高さの木として、ツバキ類、モッコク、ウメモドキを、
グランドカバープランツとして、コケ類、シダ類、ササ類、ギボウシ類を構成選択肢とする庭プランＡと、
高めの木として、オリーブ、コニファー、シマトネリコを、
低めの木として、ボックスウッド、ニューサイラン、オタフクナンテン、サルサドウダン、イヌツゲを、
中位の高さの木として、トキワマンサク、シルバープリペットを、
グランドカバープランツとして、シモツケ類、クリスマスローズ、ハツユキカヅラを構成選択肢とする庭プランＢと、
高めの木として、ハナミズキ、シャラ、カツラを、
低めの木として、ジンチョウゲ、クチナシ、ヤマブキ、ナンテン、タイム類を、
中位の高さの木として、キンモクセイ、月桂樹、ライラック、ロウバイ、カラタネオガタマを、
グランドカバープランツとして、ラベンダー、フウチソウ、アガパンサス、サルココッカ、タイム類を構成選択肢とする庭プランＣと、
高めの木として、ジューンベリー、カリン、ウメを、
低めの木として、ブルーベリー、ビックリグミ、ラズベリーを、
中位の高さの木として、柑橘類、フェイジョア、ヒメイチゴを、
グランドカバープランツとして、ローズマリー類、ミント類、パセリ、パプリカを構成選択肢とする庭プランＤと、
高めの木として、ヤマボウシ、アメリカハナミズキ、ホワイトラブを、
低めの木として、アジサイ類、ヒペリカム類、セイヨウシャクナゲを、
中位の高さの木として、サザンカ、サンシュユ、キンメツゲを、
グランドカバープランツとして、アベリア、フイリヤブラン、シバザクラ、ビンカマジョール、マーガレットを構成選択肢とする庭プランＥと、
高めの木として、クロガネモチ、ヒメユズリハ、シラカシを、
低めの木として、ユキヤナギ、アセビ、ドウダンツツジ、ラベンダー類、ブットレアを、
中位の高さの木として、カクレミノ、ハナカイドウ、ミツマタを、
グランドカバープランツとして、セイヨウイワナンテン、フィリフェラオーレア、芝類を構成選択肢とする庭プランＦと、
高めの木として、サルスベリ、ヤマボウシを、
低めの木として、ウツギ類、ヒイラギナンテンを、
中位の高さの木として、セイヨウカナメモチ、ライラックを、
グランドカバープランツとして、ヘデラ類、ラベンダーを構成選択肢とする庭プランＧの、
いずれか一つの庭プランを選択する庭プランの決定工程と、
この選択された庭プランにおける高めの木の一種以上と、低めの木の一種以上と、中位の高さの木の一種以上と、グランドカバープランツの一種以上とを選択するプランニング工程と、
この選択された植物を植栽する植栽工程とを有することを特徴とする庭造り工法。
【請求項４】
前記庭プランＡが、シンボルツールとして、つくばい、水盤、灯籠、ぬれ縁を構成選択肢としており、
前記庭プランＢが、シンボルツールとして、壁泉、タイル貼り又は石貼りのテラス、ファニチャーを構成選択肢としており、
前記庭プランＣが、シンボルツールとして、レイズドベッド、石板ベンチを構成選択肢としており、
前記庭プランＤが、シンボルツールとして、グリルテーブルユニット、農機具ディスプレイ、壁面緑化を構成選択肢としており、
前記庭プランＥが、シンボルツールとして、ウッドデッキ、シェード、パーゴラ、テーブルセット、ガーデンシンク、目隠しウォールなどの各種のリビングステージユニットを構成選択肢としており、
前記庭プランＦが、シンボルツールとして、芝生広場、砂場を構成選択肢としており、
前記庭プランＧが、シンボルツールとして、ドッグデッキ、ウッドデッキ、シェードを構成選択肢としており、
前記決定工程で選択された庭プランにおけるシンボルツールから選ばれる一種以上のシンボルツールを選択するプランニング工程と、
この選択されたシンボルツールを設備する施工工程とを有することを特徴とする請求項３に記載の庭造り工法。
【請求項５】
前記庭プランＡが、アプローチ手段として、延段、飛石、化粧砂利を構成選択肢としており、
前記庭プランＤが、アプローチ手段として、透水性舗装を構成選択肢としており、
前記庭プランＦが、アプローチ手段として、クッション舗装を構成選択肢としており、
前記決定工程で前記庭プランＡ、庭プランＤ又は庭プランＦのいずれか一つが選択された際に、当該選択庭プランにおけるアプローチ手段から選ばれる少なくとも一種のアプローチ手段を選択するプランニング工程と、
この選択されたアプローチ手段を設備する施工工程とを有することを特徴とする請求項３又は請求項４に記載の庭造り工法。
【請求項６】
前記庭プランＢが、当該庭面積に占める高めの木と、低めの木と、中位の高さの木とによる緑被覆率を１０％〜３０％としてあることを特徴とする請求項３又は請求項４に記載の庭造り工法。
【請求項７】
前記庭プランＣが、当該庭面積に占める高めの木と、低めの木と、中位の高さの木と、グランドカバープランツとによる緑被覆率を４０％〜８０％としてあることを特徴とする請求項３又は請求項４に記載の庭造り工法。
【請求項８】
前記庭プランＤが、当該庭面積に占める菜園エリア面積を２０％〜７０％としてあることを特徴とする請求項３、請求項４又は請求項５に記載の庭造り工法。
【請求項９】
前記庭プランＥが、当該庭面積に占めるリビングステージユニットを２０％〜６０％としてあることを特徴とする請求項３又は請求項４に記載の庭造り工法。
【請求項１０】
前記庭プランＦが、当該庭面積に占める芝生広場面積を２０％〜８０％としてあることを特徴とする請求項３、請求項４又は請求項５に記載の庭造り工法。
【請求項１１】
前記庭プランＧが、当該庭面積に占める犬専用エリア面積を２０％〜６０％としてあることを特徴とする請求項３又は請求項４に記載の庭造り工法。
【発明の詳細な説明】
【技術分野】
【０００１】
この発明は、施主のニーズを満足させる庭を、容易に選択、決定できると共に、そのニーズに適合した庭を容易に造りだし得るようにした庭造り工法の提供に関する。
【背景技術】
【０００２】
庭園は、建物本体や、街並み等との調和が計られていることが好ましく、また、当該庭が住宅等の居住者のニーズを満足させるように仕上げられている必要がある。
【０００３】
かかる点から、建物本体の趣と街並み等の趣に調和した敷地外から見た景観と、同時に、当該建物における居住者の好みに適応する趣の景観を備え、居住者のニーズを満足させる庭を得るためには、居住者等との綿密な打ち合わせと共に、熟練し、かつ、センスのある造園職人を必要としていた。
【０００４】
しかしながら、生活の多様化、価値観の多様化等によって、庭に求められるニーズが多様化しており、単純な和風庭園、洋風庭園といった従前の造園手法では、各種要請に適応することが難しく、提供する庭園が納得を得られ難い庭であったり、造園に多くの打ち合わせ手間や、多くの施工手間を要する等の不具合があった。
【０００５】
戸建て住宅を建築する際において、環境に配慮した住宅庭園と住宅外構を設計する場合に使用する設計システムとして、戸建て住宅の庭園の設計において、住宅建築予定の敷地の住所に対応した庭木と、用途に応じて分類した庭木のデータを記憶する記憶手段を設け、該記憶手段に対して、敷地と、庭木の用途を入力する入力手段と、該入力により検索する検索手段を設け、その結果を表示手段により表示し、また、所望する庭木の高さをも、データベースに記憶する記憶手段を設けたものがある（例えば、特許文献１）。
【０００６】
【特許文献１】特開２００２−２５０１３９公開公報
【発明の開示】
【発明が解決しようとする課題】
【０００７】
しかしながら、この特許文献１に示される住宅庭園の設計システムでは、住宅建築予定の敷地の住所に対応した庭木と、用途に応じて分類した庭木のデータを記憶する記憶手段を設け、該記憶手段に対して、敷地と、庭木の用途を入力する入力手段と、該入力により検索する検索手段を設け、その結果を表示手段により表示することで、建設住所地に対応した住宅庭園の設計が可能とされ、例えば、目的とする昆虫や動物の集まりやすい庭園設計を可能としている。
【０００８】
しかしながら、建築物に居住する者の、それぞれの生活スタイルに合わせた庭の造園を、容易かつ確実になす庭造り工法は見あたらなかった。
【０００９】
かかる点から、居住者の年齢構成、性別構成、家族構成、嗜好性等の各種前提のもとに要請される各ニーズに適応する庭を、容易に企画、立案でき、容易に構成できる庭造り工法の提案が求められていた。
【課題を解決するための手段】
【００１０】
まず、この発明の第一の発明は、前記課題を解決するために、ニーズの異なる複数種の庭プランを有し、
この庭プランが、当該各庭プランのニーズに対応する一定の植物群を選択肢としてあり、
前記の庭プランのうちの一つの庭プランを選択する庭プランの決定工程と、
この決定工程で選択された庭プランにおける植物群から選ばれる一種以上の高めの木と、一種以上の低めの木と、一種以上の中位の高さの木と、一種以上のグランドカバープランツとを選択するプランニング工程と、
この選択された植物を植栽する植栽工程とを有することを特徴とする庭造り工法としてある。
【００１１】
このように構成される庭造り工法では、ニーズの異なる複数種の庭プランを、この各ニーズの異なる庭プランに対応する一定の植物群を構成選択肢として前もって用意し、この用意された複数種の庭プランのうちの、一つを選択して、造園対象庭プランを決定し、この決定庭プランにある植物群から、高めの木と、低めの木と、中位の木、及び、グランドカバープランツをそれぞれ一種以上選び、配置等のプランニングをなすと共に、この選別、配置決めのされた各植物を、現場の所定位置に植栽することによって、所定のニーズに適合した庭を造り出すことができる。
【００１２】
また、前記目的を達成するために、前記庭造り工法において、前記庭プランが、当該各庭プランに対応する複数種のシンボルツールを構成選択肢としてあり、
前記決定工程で選択された庭プランにおけるシンボルツールから選ばれる一種以上のシンボルツールを選択するプランニング工程と、
この選択されたシンボルツールを設備する施工工程とを有することを特徴とする庭造り工法では、選択、決定された庭プランにあるシンボルツールから一種以上のシンボルツールを選び、配置等のプランニングをなすと共に、この選別、位置決めのされたシンボルツールを、現場に設備することによって、所定のニーズに適合した庭を造り出すことができる。
【００１３】
ついで、この発明の第二の発明は、前記課題を解決するために、高めの木として、モミジ、アオダモ、ソヨゴを、
低めの木として、ツツジ類、カンツバキ、センリョウを、
中位の高さの木として、ツバキ類、モッコク、ウメモドキを、
グランドカバープランツとして、コケ類、シダ類、ササ類、ギボウシ類を構成選択肢とする庭プランＡと、
高めの木として、オリーブ、コニファー、シマトネリコを、
低めの木として、ボックスウッド、ニューサイラン、オタフクナンテン、サルサドウダン、イヌツゲを、
中位の高さの木として、トキワマンサク、シルバープリペットを、
グランドカバープランツとして、シモツケ類、クリスマスローズ、ハツユキカヅラを構成選択肢とする庭プランＢと、
高めの木として、ハナミズキ、シャラ、カツラを、
低めの木として、ジンチョウゲ、クチナシ、ヤマブキ、ナンテン、タイム類を、
中位の高さの木として、キンモクセイ、月桂樹、ライラック、ロウバイ、カラタネオガタマを、
グランドカバープランツとして、ラベンダー、フウチソウ、アガパンサス、サルココッカを構成選択肢とする庭プランＣと、
高めの木として、ジューンベリー、カリン、ウメを、
低めの木として、ブルーベリー、ビックリグミ、ラズベリーを、
中位の高さの木として、柑橘類、フェイジョア、ヒメイチゴを、
グランドカバープランツとして、ローズマリー類、ミント類、パセリ、パプリカを構成選択肢とする庭プランＤと、
高めの木として、ヤマボウシ、アメリカハナミズキ、ホワイトラブを、
低めの木として、アジサイ類、ヒペリカム類、セイヨウシャクナゲを、
中位の高さの木として、サザンカ、サンシュユ、キンメツゲを、
グランドカバープランツとして、アベリア、フイリヤブラン、シバザクラ、ビンカマジョール、マーガレットを構成選択肢とする庭プランＥと、
高めの木として、クロガネモチ、ヒメユズリハ、シラカシを、
低めの木として、ユキヤナギ、アセビ、ドウダンツツジ、ラベンダー類、ブットレアを、
中位の高さの木として、カクレミノ、ハナカイドウ、ミツマタを、
グランドカバープランツとして、芝類、セイヨウイワナンテン、フィリフェラオーレアを構成選択肢とする庭プランＦと、
高めの木として、サルスベリ、ヤマボウシを、
低めの木として、ウツギ類、ヒイラギナンテンを、
中位の高さの木として、セイヨウカナメモチ、ライラックを、
グランドカバープランツとして、ヘデラ類、ラベンダーを構成選択肢とする庭プランＧの、
いずれか一つの庭プランを選択する庭プランの決定工程と、
この選択された庭プランにおける高めの木の一種以上と、低めの木の一種以上と、中位の高さの木の一種以上と、グランドカバープランツの一種以上とを選択するプランニング工程と、
この選択された植物を植栽する植栽工程とを有することを特徴とする庭造り工法としてある。
【００１４】
このように構成される庭造り工法では、前記庭プランＡ〜庭プランＧのうちの、いずれか一つの庭プランを選択、決定して、この決定対象庭プランにおける各高めの木に含まれている木の一種以上を、低めの木に含まれている木の一種以上を、中位の高さの木の含まれている木の一種以上を、グランドカバープランツに含まれている植物の一種以上を選び、配置等のプランニングをなすと共に、この選別、配置決めのされた各植物を、現場の所定位置に植栽することによって、所定のニーズを満足させる庭を造り出すことができる。
【００１５】
また、前記第二の発明に係る庭造り工法にあって、前記庭プランＡが、シンボルツールとして、つくばい、水盤、灯籠、ぬれ縁を構成選択肢としており、
前記庭プランＢが、シンボルツールとして、壁泉、タイル貼り又は石貼りのテラス、ファニチャーを構成選択肢としており、
前記庭プランＣが、シンボルツールとして、レイズドベッド、石板ベンチを構成選択肢としており、
前記庭プランＤが、シンボルツールとして、グリルテーブルユニット、農機具ディスプレイ、壁面緑化を構成選択肢としており、
前記庭プランＥが、シンボルツールとして、ウッドデッキ、シェード、パーゴラ、テーブルセット、ガーデンシンク、目隠しウォールなどの各種のリビングステージユニットを構成選択肢としており、
前記庭プランＦが、シンボルツールとして、芝生広場、砂場を構成選択肢としており、
前記庭プランＧが、シンボルツールとして、ドッグデッキ、ウッドデッキ、シェードを構成選択肢としており、
前記決定工程で選択された庭プランにおけるシンボルツールから選ばれる一種以上のシンボルツールを選択するプランニング工程と、
この選択されたシンボルツールを設備する施工工程とを有することを特徴とする庭造り工法にあっては、
選択、決定された庭プランにあるシンボルツールから一種以上のシンボルツールを選び、配置等のプランニングをなすと共に、この選別、位置決めのされたシンボルツールを、現場に設備することによって、所定のニーズに適合した庭を造り出すことができる。
【００１６】
また、前記第二の発明に係る庭造り工法にあって、前記庭プランＡが、アプローチ手段として、延段、飛石、化粧砂利を構成選択肢としており、
前記庭プランＤが、アプローチ手段として、透水性舗装を構成選択肢としており、
前記庭プランＦが、アプローチ手段として、クッション舗装を構成選択肢としており、
前記決定工程で前記庭プランＡ、庭プランＤ又は庭プランＦのいずれか一つが選択された際に、当該選択庭プランにおけるアプローチ手段から選ばれる少なくとも一種のアプローチ手段を選択するプランニング工程と、
この選択されたアプローチ手段を設備する施工工程とを有する庭造り工法にあっては、
選択、決定された庭プランにあるアプローチ手段から少なくとも一種のアプローチ手段を選び、配置等のプランニングをなすと共に、この選別、位置決めのされたアプローチ手段を、現場に設備することによって、更に、所定のニーズに適合した庭を造り出すことができる。
【００１７】
また、前記第二の発明に係る庭造り工法にあって、前記庭プランＢが、当該庭面積に占める高めの木と、低めの木と、中位の高さの木とによる緑被覆率を１０％〜３０％とすることによって、嗜み、趣味の場として好適な趣のあるモダンガーデンスタイルの庭を造り出すことができる。
【００１８】
また、前記第二の発明に係る庭造り工法にあって、前記前記庭プランＣが、当該庭面積に占める高めの木と、低めの木と、中位の高さの木と、グランドカバープランツとによる緑被覆率を４０％〜８０％とすることによって、癒しの場として好適な趣のある庭を造り出すことができる。
【００１９】
また、前記第二の発明に係る庭造り工法にあって、前記庭プランＤが、当該庭面積に占める菜園エリア面積を２０％〜７０％とすることによって、恵み、収穫の場として好適な趣のある庭を造り出すことができる。
【００２０】
また、前記第二の発明に係る庭造り工法にあって、前記庭プランＥが、当該庭面積に占めるリビングステージユニットを２０％〜６０％とすることによって、社交、集いの場として好適な趣のある庭を造り出すことができる。
【００２１】
また、前記第二の発明に係る庭造り工法にあって、前記庭プランＦが、当該庭面積に占める芝生広場面積を２０％〜８０％とすることによって、子供の育みの場として好適な趣のある庭を造り出すことができる。
【００２２】
また、前記第二の発明に係る庭造り工法にあって、前記庭プランＧが、当該庭面積に占める犬専用エリア面積を２０％〜６０％とすることによって、犬の戯れの場として好適な趣のある庭を造り出すことができる。
【発明の効果】
【００２３】
ニーズの異なる庭プランを前提に、当該ニーズを満足させる庭を、容易に、かつ、確実に造り得ると共に、庭造りに必要な植物類の計画的な管理をなすことができる。
【発明を実施するための最良の形態】
【００２４】
以下、この発明を実施するための最良の形態に係る庭造り工法について説明する。
【００２５】
まず、第一の発明を実施するための最良の形態に係る庭造り工法は、
ニーズの異なる複数種の庭プランを有し、
この庭プランが、当該各庭プランのニーズに対応する一定の植物群を各庭プランに用いられる植物の構成選択肢としてあり、
前記の庭プランのうちの一つの庭プランを選択する庭プランの決定工程と、
この決定工程で選択された庭プランにおける植物群から選ばれる一種以上の高めの木と、一種以上の低めの木と、一種以上の中位の高さの木と、一種以上のグランドカバープランツとを選択するプランニング工程と、
この選択された植物を植栽する植栽工程とを有する工法である。
【００２６】
また、第二の発明を実施するための最良の形態に係る庭造り工法は、
高めの木として、モミジ、アオダモ、ソヨゴを、
低めの木として、ツツジ類、カンツバキ、センリョウを、
中位の高さの木として、ツバキ類、モッコク、ウメモドキを、
グランドカバープランツとして、コケ類、シダ類、ササ類、ギボウシ類を構成選択肢とする庭プランＡと、
高めの木として、オリーブ、コニファー、シマトネリコを、
低めの木として、ボックスウッド、ニューサイラン、オタフクナンテン、サルサドウダン、イヌツゲを、
中位の高さの木として、トキワマンサク、シルバープリペットを、
グランドカバープランツとして、シモツケ類、クリスマスローズ、ハツユキカヅラを構成選択肢とする庭プランＢと、
高めの木として、ハナミズキ、シャラ、カツラを、
低めの木として、ジンチョウゲ、クチナシ、ヤマブキ、ナンテン、タイム類を、
中位の高さの木として、キンモクセイ、月桂樹、ライラック、ロウバイ、カラタネオガタマを、
グランドカバープランツとして、ラベンダー、フウチソウ、アガパンサス、サルココッカを構成選択肢とする庭プランＣと、
高めの木として、ジューンベリー、カリン、ウメを、
低めの木として、ブルーベリー、ビックリグミ、ラズベリーを、
中位の高さの木として、柑橘類、フェイジョア、ヒメイチゴを、
グランドカバープランツとして、ローズマリー類、ミント類、パセリ、パプリカを構成選択肢とする庭プランＤと、
高めの木として、ヤマボウシ、アメリカハナミズキ、ホワイトラブを、
低めの木として、アジサイ類、ヒペリカム類、セイヨウシャクナゲを、
中位の高さの木として、サザンカ、サンシュユ、キンメツゲを、
グランドカバープランツとして、アベリア、フイリヤブラン、シバザクラ、ビンカマジョール、マーガレットを構成選択肢とする庭プランＥと、
高めの木として、クロガネモチ、ヒメユズリハ、シラカシを、
低めの木として、ユキヤナギ、アセビ、ドウダンツツジ、ラベンダー類、ブットレアを、
中位の高さの木として、カクレミノ、ハナカイドウ、ミツマタを、
グランドカバープランツとして、芝類、セイヨウイワナンテン、フィリフェラオーレアを構成選択肢とする庭プランＦと、
高めの木として、サルスベリ、ヤマボウシを、
低めの木として、ウツギ類、ヒイラギナンテンを、
中位の高さの木として、セイヨウカナメモチ、ライラックを、
グランドカバープランツとして、ヘデラ類、ラベンダーを構成選択肢とする庭プランＧの、
いずれか一つの庭プランを選択する庭プランの決定工程と、
この選択された庭プランにおける高めの木の一種以上と、低めの木の一種以上と、中位の高さの木の一種以上と、グランドカバープランツの一種以上とを選択するプランニング工程と、
この選択された植物を植栽する植栽工程とを有する工法である。
【００２７】
以下、より具体的に当該庭造り工法について説明する。
【００２８】
まず、各年代層、家族構成、性別等を基軸にして、住宅等の建築物に付帯されて備えられる庭に関するニーズの調査をし、それぞれのニーズ、例えば、伝統的な和の佇まいを求める、余所に見受けられない独自のライフスタイルに適合するモダンな佇まいを求める、花を愛で香りを愛でるなど自然の恵による癒しを求める、果実や家庭菜園などを育て、収穫する恵の歓びを求める、飲食などの語らいを楽しめ、集い易さを求める、のびのびと子供を自然に触れさせながら育くむことを求める、犬などのペットと共生できる戯れの空間を求める等の、多種多様の要望を集約し、基本的なニーズに特定する。
【００２９】
このように集約、特定化された各ニーズをそれぞれに満足させる各庭プランを、各ニーズを満足させ得る植物群で作成する。
【００３０】
かかる各庭プランに用いられる植物は、各庭プランによって庭造りをした際に、無理なく活着し、かつ、耐寒性、耐湿性、耐乾燥性等を考慮して選択される。かかる各庭プランに用いられる植物は、前記庭植物としての適性を備えた植物のうち、当該庭プランのニーズを満足させ得る植物であり、当該庭プランは、この庭プランに用いられる植物を構成選択肢として作成される。
【００３１】
かかる庭に対するニーズは、例えば、以下のような典型的なニーズに集約することができる。
【００３２】
（１）和風の趣を楽しめる庭：
「趣旨」
最も保守的な感性スタイルで、「変わらないこと」に価値観を見出す。歴史の中で生まれた「正統さ」「上品さ」に魅かれ、生活様式に秩序と統一感、継続性を求める人のニーズに対応する。
「ガーデンコンセプト」
和を楽しみ、伝統を重んじ変わらないことに価値観を見出す和の趣のある庭。  「集約背景」
庭は、現代住宅がもつ無機賓で規格化された空間を和らげ、住む人の心をなごませる大きな役割を果たしている。眺めているだけで落ち着く庭。安らぎの空間形成に欠かせないのが自然の景を凝縮した鑑賞のための和の庭である。
（２）モダンな趣きを楽しめる庭：
「趣旨」
創造的な斬新さを尊重し、生活自体がパフォーマンス的である。オリジナリティある価値観を持ち、「究極の自己表現」を目標とする人のニーズに対応する。
「ガーデンコンセプト」
こだわりの暮らしをつつむ、究極のファッション空間としてのモダンガーデンスタイルの趣のある庭。
「集約背景」
雑誌のグラビアで紹介されている海外の住環境を日本で再現し体験する。
バーチャルリアリティーな劇場型マーケット。水音、光の戯れを楽しむガーデン。車、自転車、バイクなどを庭で楽しみそれを眺めることができる庭。
（３）癒しを求める庭：
「趣旨」
自由派と現代派の要素の二つを持つ人のニーズに対応する。自然体、エコロジー、ノンストレス、シンプルな生活が自分の感性で重要な点であり、家族が健康に過ごすことが基本で、その上で、仕事や趣味などが充実すると考える。
「ガーデンコンセプト」
健康がテーマ。地域の自然を取り入れた五感覚に優しい庭。
「集約背景」
高齢化社会の到来、都市化の進展で、暮らしのなかで「庭」の果たす役割は益々重要である。「庭」を健康改善の場ないし、健康資源と考え、「ガーデンセラピー」などを実践することで庭への関心度が高い。
（４）恵を求める庭：
「趣旨」
正統派、洗練派、伝統派の中で、好奇心旺盛で関心ある分野について凝り性である一方、着実、堅実な価値観も持ち合わせる人のニーズに対応する。
「ガーデンコンセプト」
美的で文化的な家庭菜園。スローライフを楽しむ為の空間であり、収穫の糧は集いの場へと展開する。
「集約背景」
食と健康は一般消費者の最大関心事。自分の好きな植物を育て、収穫し、調理することが、インテリジェンスなライフスタイルとして価値を持つ。有機栽培、減農薬を基準とする農法で安全なキッチンガーデンを作る。団塊の世代の居場所確保、いわば男の庭が必要。
（５）集いの庭：
「趣旨」
現代派と表現派の要素を持つ人のニーズに対応する。生活のリズムが都会的で、時代の感性を先取りした新しさに強く惹かれるとともに、独創性を重んじる。
イベント好きで、仲間と楽しむ時間を自分が企画する。
「ガーデンコンセプト」
庭は食とお酒を楽しむ快適空間であり、家族団らんや親しい友人との「新社交場」として位置づけられる。
「集約背景」
「２００７年問題」でいわれる団塊の世代の時間消真の受け皿となる「庭」が必要である。かつてガーデンブームが女性層を中心としたブームであったが、男性の趣味空間としての利用が求められる。庭を「社交場」として再発見することで、庭への投資意識が高い。
（６）育みの庭：
「趣旨」
集団帰属型の従順な感性を持ち、生活様式等に拠り所となる定義やルールを必要とする。「公共性」「趣味の良さ」を価値観としてもつ人のニーズに対応する。
「ガーデンコンセプト」
庭は子供たちを健やかに育てる場であるとともに、学びの要素を持った自然や生き物との出会いの場。
「集約背景」
引きこもりが社会問題化している昨今、「庭は遊びを創造する場」と考え、庭で可能な遊びを通じ、自然に親しみ、学び、外空間で健康な時間を過ごすことが求められている。
（７）戯れの庭：
「趣旨」
「快適さ」「自分らしさ」に忠実で、仕事と同等以上に私生活を大切にし、自然体、エコロジー、無垢でいるという価値観。ノンストレスな生き方を目標としている。自由派の中でも、ペットと一緒の時間を大切にする人のニーズに対応する。
「ガーデンコンセプト」
人とペットの共生する庭は、人に優しく安全な庭。
「集約背景」
ペットの需要は少子高齢化時代を迎え、益々拡大し、これに対応する庭が求められる。従来、外飼い中心で人とペット（犬）とが共生する伝統文化を持たない日本では、共生環境づくりが必要である。
【００３３】
かかるニーズを満足させる一定の植物群を選択肢として作成される庭プランを、各ニーズ毎に、それぞれ前もって用意する。
【００３４】
かかるニーズに対応する庭プランとして、例えば、次の七種の庭プランを作成した。
【００３５】
（１）前記和風の趣を楽しめる庭のニーズに対応する庭プランとして、
高めの木の構成選択肢として、モミジ、アオダモ、ソヨゴを、
低めの木の構成選択肢として、ツツジ類、カンツバキ、センリョウを、
中位の高さの木の構成選択肢として、ツバキ類、モッコク、ウメモドキを、
グランドカバープランツの構成選択肢として、コケ類、シダ類、ササ類、ギボウシ類を備えている庭プランＡ。
（２）前記モダンな趣きを楽しめる庭のニーズに対応する庭プランとして、
高めの木の構成選択肢として、オリーブ、コニファー、シマトネリコを、
低めの木の構成選択肢として、ボックスウッド、ニューサイラン、オタフクナンテン、サルサドウダン、イヌツゲを、
中位の高さの木の構成選択肢として、トキワマンサク、シルバープリペットを、
グランドカバープランツの構成選択肢として、シモツケ類、クリスマスローズ、ハツユキカヅラを備えている庭プランＢ。
（３）前記癒しを求める庭のニーズに対応する庭プランとして、
高めの木の構成選択肢として、ハナミズキ、シャラ、カツラを、
低めの木の構成選択肢として、ジンチョウゲ、クチナシ、ヤマブキ、ナンテン、タイム類を、
中位の高さの木の構成選択肢として、キンモクセイ、月桂樹、ライラック、ロウバイ、カラタネオガタマを、
グランドカバープランツの構成選択肢として、ラベンダー、フウチソウ、アガパンサス、サルココッカを備えている庭プランＣ。
（４）前記恵を求める庭のニーズに対応する庭プランとして、
高めの木の構成選択肢として、ジューンベリー、カリン、ウメを、
低めの木の構成選択肢として、ブルーベリー、ビックリグミ、ラズベリーを、
中位の高さの木の構成選択肢として、柑橘類、フェイジョア、ヒメイチゴを、
グランドカバープランツの構成選択肢として、ローズマリー類、ミント類、パセリ、パプリカを備えている庭プランＤ。
（５）前記集いの庭のニーズに対応する庭プランとして、
高めの木の構成選択肢として、ヤマボウシ、アメリカハナミズキ、ホワイトラブを、
低めの木の構成選択肢として、アジサイ類、ヒペリカム類、セイヨウシャクナゲを、
中位の高さの木の構成選択肢として、サザンカ、サンシュユ、キンメツゲを、
グランドカバープランツとして、アベリア、フイリヤブラン、シバザクラ、ビンカマジョール、マーガレットを備えている庭プランＥ。
（６）育みの庭のニーズに対応する庭プランとして、
高めの木の構成選択肢として、クロガネモチ、ヒメユズリハ、シラカシを、
低めの木の構成選択肢として、ユキヤナギ、アセビ、ドウダンツツジ、ラベンダー類、ブットレアを、
中位の高さの木の構成選択肢として、カクレミノ、ハナカイドウ、ミツマタを、
グランドカバープランツの構成選択肢として、芝類、セイヨウイワナンテン、フィリフェラオーレアを備えている庭プランＦ。
（７）戯れの庭の庭のニーズに対応する庭プランとして、
高めの木の構成選択肢として、サルスベリ、ヤマボウシを、
低めの木の構成選択肢として、ウツギ類、ヒイラギナンテンを、
中位の高さの木の構成選択肢として、セイヨウカナメモチ、ライラックを、
グランドカバープランツの構成選択肢として、ヘデラ類、ラベンダーを備えている庭プランＧ。
【００３６】
このように作成された各庭プランのうちから、その一つの庭プランを選択する。
【００３７】
なお、ここで、高めの木とは、成木状態で、剪定を前提として、ほぼ３ｍ以上の木を、低めの木とは、成木状態で、剪定を前提として、ほぼ１ｍに満たない高さの木を、中位の高さの木とは、成木状態で、剪定を前提として、ほぼ１ｍ以上〜３ｍ未満の高さの木を称している。なお、ここで、グランドカバープランツとは、地面を覆う植物、特に、地面を這うように拡がる背の低い植物等、地面を都合良く覆う背の低い植物であれば、いかなるものであってもよい。
【００３８】
また、当該庭プランの作成に際して、必要に応じて、前記ニーズに対応して当該ニーズに適合する各種のシンボルツールを、当該各庭プランを構成するシンボルツールの構成選択肢として庭プランを作成する。かかるシンボルツールは、当該ニーズに対応して作成される庭プランにおいて、当該ニーズに都合良く適合し、当該ニーズに対応する庭に特長をもたらすものであれば、いかなるツールであってもよい。
【００３９】
かかるシンボルツールは、前記各ニーズに対応する庭プランにおける当該ニーズに適合するシンボルツールであれば、いかなる形態のものであってもよい。
【００４０】
かかるシンボルツールを備える庭プランとして、例えば、前記各庭プランに対応した以下の庭プランが用意された。
【００４１】
（１）前記和風の趣を楽しめる庭のニーズに対応する庭プランＡが、シンボルツールとして、つくばい、水盤、灯籠、ぬれ縁を当該庭プランを構成する構成選択肢として備える庭プラン。
（２）前記モダンな趣きを楽しめる庭のニーズに対応する庭プランＢが、シンボルツールとして、壁泉、タイル貼り又は石貼りのテラス、ファニチャーを当該庭プランを構成する構成選択肢として備える庭プラン。
（３）前記癒しを求める庭のニーズに対応する庭プランＣが、シンボルツールとして、レイズドベッド、石板ベンチを当該庭プランを構成する構成選択肢として備える庭プラン。
（４）前記恵を求める庭のニーズに対応する庭プランＤが、シンボルツールとして、グリルテーブルユニット、農機具ディスプレイ、壁面緑化を当該庭プランを構成する構成選択肢として備える庭プラン。
（５）前記集いの庭のニーズに対応する庭プランＥが、シンボルツールとして、ウッドデッキ、シェード、パーゴラ、テーブルセット、ガーデンシンク、目隠しウォールなどの各種のリビングステージユニットを当該庭プランを構成する構成選択肢として備える庭プラン。
（６）育みの庭のニーズに対応する庭プランＦが、シンボルツールとして、芝生広場、砂場を当該庭プランを構成する構成選択肢として備える庭プラン。
（７）戯れの庭の庭のニーズに対応する庭プランＧが、シンボルツールとして、ドッグデッキ、ウッドデッキ、シェードを当該庭プランを構成する構成選択肢として備える庭プラン。
【００４２】
また、当該庭プランの作成に際して、必要に応じて、前記ニーズに対応して当該ニーズに適合する各種の当該庭を効果的に用いるためのアプローチ手段を、当該各庭プランを構成するアプローチ手段の構成選択肢として庭プランを作成する。
【００４３】
かかるアプローチ手段は、前記各ニーズに対応する庭プランにおける当該ニーズに適合するアプローチ手段であれば、延段、飛石、化粧砂利、各種舗装道、連続又は非連続に備えられる敷板、ドッグラン等、いかなる形態のものであってもよい。
【００４４】
かかるアプローチ手段を備える庭プランとして、例えば、前記各庭プランに対応した以下の庭プランが用意された。
【００４５】
（１）前記和風の趣を楽しめる庭のニーズに対応する庭プランＡが、アプローチ手段として、延段、飛石、化粧砂利を当該庭プランを構成する構成選択肢として備える庭プラン。
（２）前記モダンな趣きを楽しめる庭のニーズに対応する庭プランＢが、アプローチ手段として、例えば、オートバイ、自動車等の乗り入れ可能なコンクリート製敷板を当該庭プランを構成する構成選択肢として備える庭プラン。
（３）前記癒しを求める庭のニーズに対応する庭プランＣが、アプローチ手段として、石の舗装道、レンガの舗装道を当該庭プランを構成する構成選択肢として備える庭プラン。
（４）前記恵を求める庭のニーズに対応する庭プランＤが、アプローチ手段として、透水舗装を当該庭プランを構成する構成選択肢として備える庭プラン。
（５）前記集いの庭のニーズに対応する庭プランＥが、アプローチ手段として、石の舗装道、レンガの舗装道を当該庭プランを構成する構成選択肢として備える庭プラン。
（６）育みの庭のニーズに対応する庭プランＦが、アプローチ手段として、クッション舗装を当該庭プランを構成する構成選択肢として備える庭手段。
（７）戯れの庭の庭のニーズに対応する庭プランＧが、アプローチ手段として、ドッグランを当該庭プランを構成する構成選択肢として備える庭プラン。
【００４６】
また、当該庭プランの作成に際して、必要に応じて、前記ニーズに対応して当該ニーズに適合するように当該庭プランにおいて庭を構成する各構成体の庭に占める割合を定めて庭プランを作成する。
【００４７】
かかる庭に占める構成体の割合を定めて作成される庭プランとして、例えば、前記各庭プランに対応した以下の庭プランが用意された。
【００４８】
（１）前記モダンな趣きを楽しめる庭のニーズに対応する庭プランＢが、当該庭プランにおける庭面積に占める高めの木と、低めの木と、中位の高さの木とによる緑被覆率を１０％〜３０％とした、嗜み、趣味の場として好適な趣のあるモダンガーデンスタイルの庭プラン。
（２）前記癒しを求める庭のニーズに対応する庭プランＣが、当該庭プランにおける庭面積に占める高めの木と、低めの木と、中位の高さの木と、グランドカバープランツとによる緑被覆率を４０％〜８０％とした、癒しの場として好適な趣のある庭プラン。
（３）前記恵を求める庭のニーズに対応する庭プランＤが、当該庭プランにおける庭面積に占める菜園エリア面積を２０％〜７０％とした、恵み、収穫の場として好適な趣のある庭プラン。
（４）前記集いの庭のニーズに対応する庭プランＥが、当該庭プランにおける庭面積に占めるリビングステージユニットを２０％〜６０％とした、社交、集いの場として好適な趣のある庭プラン。
（５）育みの庭のニーズに対応する庭プランＦが、当該庭プランにおける庭面積に占める芝生広場面積を２０％〜８０％とした、子供の育みの場として好適な趣のある庭プラン。
（６）戯れの庭の庭のニーズに対応する庭プランＧが、当該庭プランにおける庭面積に占める犬専用エリア面積を２０％〜６０％とした、犬の戯れの場として好適な趣のある庭プラン。
【００４９】
このようにして作成された庭プランは、必要に応じて、各庭プランに対応する各種モデルを作成用意する。
また、当該各庭プラン毎に、一種又は複数種の仕上がり完成予想のパース、スライド、動画等の画像や映像を作成用意する。
【００５０】
また、必要に応じて、各庭プランに対応して用意されている画像における構成植物等のデータを、適宜置換植物等のデータに切り替え表示し得るディスプレイ手段を用意する。
【００５１】
このようにして用意された前記庭プランのうちの一つの庭プランを選択、決定し、当該決定された庭プランにおける前記植物群から選ばれる一種以上の高めの木と、一種以上の低めの木と、一種以上の中位の高さの木と、一種以上のグランドカバープランツとを選択し、具体的な、庭造りのプランニングをする。
【００５２】
かかる具体的な庭造りプランニングでは、当該庭造りプランのニーズに適合する植物群を、当該ニーズに適合するように配置した予想パース、スライド、動画等の画像や映像として確認することが好ましい。
【００５３】
かかる点から、各庭プランに対応して用意されている画像における構成植物等のデータを、適宜、その種別、位置、数等を変更したデータに切り替え表示しながら、プランニングされる庭を確認することが好ましい。
【００５４】
また、必要に応じて、前記庭の具体的なプランニングにおいて、当該決定工程で選択された庭プランにおけるシンボルツールから選ばれる一種以上のシンボルツールを選択し、この選択されたシンボルツールを前記プランニング工程において、前記植物によるプランニング時に、その設置位置、設置数、設置手法等を総合的に勘案しながら庭造りの具体的なプランニングをする。
【００５５】
かかる庭プランに用いられるシンボルツールとして、例えば、前記庭プランＡでは、つくばい、水盤、灯籠、ぬれ縁を構成選択肢としてある。
また、前記庭プランＢでは、シンボルツールとして、壁泉、タイル貼り又は石貼りのテラス、ファニチャーを構成選択肢としてある。
また、前記庭プランＣでは、シンボルツールとして、レイズドベッド、石板ベンチを構成選択肢としてある。
また、前記庭プランＤでは、シンボルツールとして、グリルテーブルユニット、農機具ディスプレイ、壁面緑化を構成選択肢としてある。
また、前記庭プランＥでは、シンボルツールとして、ウッドデッキ、シェード、パーゴラ、テーブルセット、ガーデンシンク、目隠しウォールなどの各種のリビングステージユニットを構成選択肢としてある。
また、前記庭プランＦでは、シンボルツールとして、芝生広場、砂場を構成選択肢としてある。
また、前記庭プランＧでは、シンボルツールとして、ドッグデッキ、ウッドデッキ、シェードを構成選択肢としてある。
【００５６】
このように各庭プランを構成する構成選択肢とされるシンボルツールを前記決定工程で選択された庭プランにおけるシンボルツールのうちから一種以上を選択し、この選択されたシンボルツールを前記で選択された植物と共に前記プランニング工程において具体的にプランニングする。
【００５７】
また、必要に応じて、前記庭の具体的なプランニングにおいて、当該決定工程で選択された庭プランにアプローチ手段が組み込まれている場合、当該庭プランを構成するアプローチ手段の少なくとも一種のアプローチ手段を選択、決定し、この選択されたアプローチ手段を前記プランニング工程において、前記植物によるプランニング時に、その設置位置、設置数、設置手法等を総合的に勘案しながら庭造りの具体的なプランニングをする。
【００５８】
かかる庭プランに用いられるアプローチ手段として、例えば、前記庭プランＡでは、延段、飛石、化粧砂利を当該庭プランを構成するアプローチ手段の構成選択肢としてある。
また、前記庭プランＢでは、コンクリート製敷板を当該庭プランを構成するアプローチ手段の構成選択肢としてあり、構成される庭にオートバイや自動車等を導き入れて、構成される庭の景観の一部をなすように構成することができる。
また、前記庭プランＣでは、石の舗装道、レンガの舗装道を当該庭プランを構成するアプローチ手段の構成選択肢としてある。
また、前記庭プランＤでは、透水性舗装を当該庭プランを構成するアプローチ手段の構成選択肢としてある。
また、前記庭プランＥでは、石の舗装道、レンガの舗装道を当該庭プランを構成するアプローチ手段の構成選択肢としてある。
また、前記庭プランＦでは、クッション舗装を当該庭プランを構成するアプローチ手段の構成選択肢としてあり、子供達が駆け回るのに都合のよい庭を構成し得るようにしてある。
また、前記庭プランＧでは、ドッグランを当該庭プランを構成するアプローチ手段の構成選択肢としてあり、犬が自由に駆け回るのに都合のよい庭を構成し得るようにしてある。
【００５９】
このように各庭プランを構成する構成選択肢とされるアプローチ手段を前記決定工程で選択された庭プランにおけるアプローチ手段のうちから、必要に応じて、少なくとも一種を選択し、この選択されたアプローチ手段を前記で選択された植物と共に前記プランニング工程において具体的にプランニングする。
【００６０】
また、必要に応じて、前記庭の具体的なプランニングにおいて、当該庭プランの構成植物、構成シンボルツール、構成アプローチ手段等が、構成される庭に対して一定の比率で備えられるように企画された庭プランでは、前記決定工程で当該庭プランが選択、決定された際に、当該選択、決定された庭プランにおける植物、シンボルツール、アプローチ手段等を当該庭プランにおける前記配分比で庭造り対象とされる庭に備えるようにする。
【００６１】
かかる庭プランに前もって当該庭プランを構成する植物、シンボルツール、アプローチ手段等を一定の割合で備えるようにした庭プランを、例えば、前記庭プランＢでは、当該庭面積に占める高めの木と、低めの木と、中位の高さの木とによる緑被覆率が１０％〜３０％となるように庭を構成する。
また、前記庭プランＣでは、当該庭面積に占める高めの木と、低めの木と、中位の高さの木と、グランドカバープランツとによる緑被覆率が４０％〜８０％となるように庭を構成する。
また、前記庭プランＤでは、当該庭面積に占める菜園エリア面積が２０％〜７０％となるように庭を構成する。
また、前記庭プランＥでは、当該庭面積に占めるリビングステージユニット（ウッドデッキ、シェード、パーゴラ、テーブルセット、ガーデンシンク、目隠しウォール等）が２０％〜６０％となるよう庭を構成する。
また、前記庭プランＦでは、当該庭面積に占める芝生広場面積が２０％〜８０％となるように庭を構成する。
また、前記庭プランＧでは、当該庭面積に占める犬専用エリア面積が２０％〜６０％となるように庭を構成する。
【００６２】
このように各庭プランを構成する植物、シンボルツール、アプローチ手段等が構成される庭に占める比率を定めている庭プランが、前記選択、決定工程で選択された場合、当該庭プランで定められた比率で植物、シンボルツール、アプローチ手段等を備える庭のプランニングをする。
【００６３】
かかる決定工程で選択された庭プランにおいて、選択された各植物や、必要とされるシンボルツール、アプローチ手段等を、必要に応じて当該庭プランで定められる比率で庭に適宜の手法で設置する。
【００６４】
かかる庭プランを構成する植物の植栽は、当該植物の活着に都合の良い条件のもとでなされる。また、シンボルツールは、当該各シンボルツールの特性に合わせて都合の良い手法で設置される。また、アプローチ手段は、当該各アプローチ手段の特性に都合の良い手法で設置される。また、当該庭プランを構成する植物、菜園エリア、リビングステージユニット、芝生広場、犬専用エリア等の当該庭に占める比率に特長を持たせた庭プランにあっては、当該庭に対する比率で当該庭プランを構成する植物、菜園エリア、リビングステージユニット、芝生広場、犬専用エリア等を設けて庭造りをする。
【００６５】
なお、当該庭プランによる庭造りにあっては、通常の植栽技術、築山技術、各種シンボルツールの設置技術、アプローチ手段の設置技術等に則って、植栽、設置等がなされる。
【００６６】
また、当該庭プランによる庭は、植栽樹木、植栽草に対する養生管理、灌水、施肥等の育成管理、剪定、枝打ち、保形等の維持管理等、通常の管理の施されることを想定している。
【００６７】
このように構成される庭は、前記各工程を経ることによって、初期のニーズを満足させ得る庭として完成される。
【００６８】
このようにして完成される庭プランＡに係る庭にあっては、日本の伝統美を備え、四季の美しさをもたらす庭とすることができ、日本の伝統文化、教養を培う庭とすることができる。
また、このようにして完成される庭プランＢに係る庭にあっては、造園依頼者の掲げるテーマ性、及び、提案されたライフスタイルに都合良く適合するデザイン性に優れた庭庭とすることができる。
また、このようにして完成される庭プランＣに係る庭にあっては、花や花の香りや、集まる蝶等による植物療法や動物療法等のガーデンセラピー効果に優れた庭とすることができる。
また、このようにして完成される庭プランＤに係る庭にあっては、減農薬の安全な収穫物や、美味しく、かつ、栄養価の高い新鮮な収穫物を得たり、自分好みの珍しい植物を栽培、収穫、調理したり、四季の食卓を豊にする栽培、収穫、調理をする等の楽しみを味わい得る庭とすることができる。
また、このようにして完成される庭プランＥに係る庭にあっては、日除けや風通し等を考慮した居心地の良い庭時間を満喫できる空間を庭に設け、この庭に居る時間をライフスタイルに組み入れて、食事、お茶等を容易に楽しめる庭とすることができる。
また、このようにして完成される庭プランＦに係る庭にあっては、子供を極力自然に触れさせて育て、子供のストレスの解消、健康の促進と共に、環境学習、自然教育、情操教育、遊びによる想像力の向上等に有効な庭とすることができる。
また、このようにして完成される庭プランＧに係る庭にあっては、アニマルセラピー効果、ペットを介して家族間の親密性が高められる効果と共に、犬のストレス解消、環境刺激による知力の増進等が計られる庭とすることができる。
【００６９】
また、かかる庭造り工法では、格別の習熟や感性を要請されることなく、依頼主の要請する各ニーズに対応した趣を備える庭を、比較的、容易に、かつ、確実に造り出すことができる。
【００７０】
また、かかる庭造り工法では、従前の庭職人では、対応し難かった特別のニーズに対応する庭を、比較的、容易、かつ、確実に造り出すことができる。
【００７１】
また、かかる庭造り工法では、植栽される樹木や草等の植栽植物の計画的な育成管理が可能とされ、よりよい状態で、植栽植物の提供ができると共に、随時、植え替え等の要請に対応することができる。
【００７２】
また、かかる、庭造り工法では、シンボルツール、アプローチ手段の生産、管理が可能とされ、必要とされる数、大きさ、形状のシンボルツール、アプローチ手段の提供が可能であり、随時、取り換え補修等の維持、管理に対応することができる。